(57)【要約】本発明は電気的多層コンポーネントに関し、この電気的多層コンポーネントは、複数の交互に積層配置したセラミック層（２）及び少なくとも１つの電極層（３）を有して一体品構成とした基体（１）を備える。基体（１）は、互いに対向する２つの端面（４，４′）及び互いに対向する２つの側面（５，５′）と共に、複数個の外部電極（６，６′）及び少なくとも３個の内部電極（７，８，９）を有する。内部電極（７，８，９）は、それぞれ１個の外部電極（６，６′）に割り当てて接続する。端面（４，４′）のうち少なくとも一方から延在する少なくとも１個の第１内部電極（７）、及び端面（４，４′）の他方から延在する少なくとも１個の第２内部電極（８）は、互いに第１間隔（ａ）をとって離間する。さらに、側面（５，５′）の一方から第３内部電極（９）が延在し、第３内部電極（９）は、第１内部電極（７）又は前記第２内部電極（８）に対して第２間隔（ｂ）をとって離間する。【選択図】図２
2013507757.tif 000002
【特許請求の範囲】
【請求項１】
電気的多層コンポーネントであって、
・複数の交互に積層配置したセラミック層（２）及び少なくとも１つの電極層（３）を有して一体品構成にした基体（１）と、
・それぞれ前記基体（１）に設けた、互いに対向する２つの端面（４，４′）及び互いに対向する２つの側面（５，５′）と、
・複数個の外部電極（６，６′）及び少なくとも３個の内部電極（７，８，９）と、
を備える電気的多層コンポーネントにおいて、
前記内部電極（７，８，９）は、それぞれ１個の前記外部電極（６，６′）に割り当てて接続し、その際、前記端面（４，４′）のうち少なくとも一方から延在する少なくとも１個の第１内部電極（７）及び、前記端面（４，４′）のうち他方から延在する少なくとも１個の第２内部電極（８）は、互いに第１間隔（ａ）をとって離間し、さらに、前記側面（５，５′）のうち一方から第３内部電極（９）が延在し、該第３内部電極（９）は、前記第１内部電極（７）又は前記第２内部電極（８）に対して第２間隔（ｂ）をとって離間する構成としたことを特徴とする電気的多層コンポーネント。
【請求項２】
請求項１記載の電気的多層コンポーネントにおいて、前記第１内部電極（７）及び前記第２内部電極（８）が互いにオーバーラップする構成としたことを特徴とする電気的多層コンポーネント。
【請求項３】
請求項１又は２記載の電気的多層コンポーネントにおいて、前記第３内部電極（９）は、前記第１内部電極（７）又は前記第２内部電極（８）とオーバーラップする構成としたことを特徴とする電気的多層コンポーネント。
【請求項４】
請求項１〜３のいずれか一項記載の電気的多層コンポーネントにおいて、前記第１内部電極（７）は、前記第２内部電極（８）より大きな電極面を有する構成としたことを特徴とする電気的多層コンポーネント。
【請求項５】
請求項１〜４のいずれか一項記載の電気的多層コンポーネントにおいて、前記第１内部電極（７）及び前記第２内部電極（８）は、これら両電極（７，８）間に位置するセラミック層と共に第１の電気的機能ユニット（１１）を画定する構成としたことを特徴とする電気的多層コンポーネント。
【請求項６】
請求項１〜５のいずれか一項記載の電気的多層コンポーネントにおいて、前記第３内部電極（９）は、その境界領域で、前記第１内部電極（７）又は前記第２内部電極（８）、及びこれら両内部電極（７，８）間に位置するセラミック層と共に第２の電気的機能ユニットを画定する構成としたことを特徴とする電気的多層コンポーネント。
【請求項７】
請求項１〜６のいずれか一項記載の電気的多層コンポーネントにおいて、前記側面（５，５′）から延在する前記第４内部電極（１０）は、第３間隔（ｃ）をとって前記第１内部電極（７）又は前記第２内部電極（８）から離間し、第３の電気的機能ユニット（１３）を画定する構成としたことを特徴とする電気的多層コンポーネント。
【請求項８】
請求項５〜７のいずれか一項記載の電気的多層コンポーネントにおいて、電気的機能ユニット（１１，１２，１３）は、コンデンサ又はバリスタ（１４）機能を有する構成としたことを特徴とする電気的多層コンポーネント。
【請求項９】
請求項８記載の電気的多層コンポーネントにおいて、容量の異なる複数個の前記コンデンサを備える電気的多層コンポーネント。
【請求項１０】
請求項８記載の電気的多層コンポーネントにおいて、バリスタ電圧の異なる複数個の前記バリスタを備える電気的多層コンポーネント。
【請求項１１】
請求項１〜１０のいずれか一項記載の電気的多層コンポーネントにおいて、少なくとも１個の誘電体層（１８）を備え、該誘電体層（１８）は低い誘電率を有し、またガラス、ＺｒＯ２、ガラス／ＺｒＯ２の複合材料、ＡｌＯｘ又はガラス／ＡｌＯｘの複合材料を含む構成としたことを特徴とする電気的多層コンポーネント。
【請求項１２】
請求項１〜１１のいずれか一項記載の電気的多層コンポーネントにおいて、前記セラミック層（２）は、バリスタ及び／又はコンデンサのセラミックを含み、バリスタセラミックの場合、ＺｎＯ‐ＢｉＳｂ又はＺｎＯ‐Ｐｒを含むことを特徴とする電気的多層コンポーネント。
【請求項１３】
請求項１〜１２のいずれか一項記載の電気的多層コンポーネントにおいて、前記第１間隔（ａ）、前記第２間隔（ｂ）及び第３間隔（ｃ）の領域が、少なくとも１つの前記セラミック層を有する構成としたことを特徴とする電気的多層コンポーネント。
【請求項１４】
請求項１〜１３のいずれか一項記載の電気的多層コンポーネントを備える回路装置であって、
前記回路装置の端面に配置した少なくとも１個の外部電極（６′）を、グランド（ＧＮＤ）に接続したことを特徴とする回路装置。
【請求項１５】
請求項１４記載の回路装置において、端面に配置した少なくとも１個の前記外部電極（６′）を、電圧供給ライン（１５）に接続したことを特徴とする回路装置。
【発明の詳細な説明】
【技術分野】
【０００１】
本発明は、電気的多層コンポーネント及び回路装置に関する。
【背景技術】
【０００２】
特許文献１（独国特許出願公開第１０２００７０２０７８３号）に、電気的多層コンポーネントが開示されている。
【先行技術文献】
【特許文献】
【０００３】
【特許文献１】独国特許出願公開第１０２００７０２０７８３号明細書
【発明の概要】
【発明が解決しようとする課題】
【０００４】
本発明の課題は、容易に製造可能であり、かつ集積密度が高い電気的多層コンポーネントを得るにある。さらに、この電気的多層コンポーネントを備える回路装置を得ることにある。
【課題を解決するための手段】
【０００５】
この課題は、請求項１に記載の電気的多層コンポーネント、及び請求項１４に記載の回路装置により解決することができる。電気的多層コンポーネントの有利な実施形態は、従属請求項に記載する。
【０００６】
本発明は、一体品構成にした（モノリシックな）基体を備える電気的多層コンポーネントに関する。この電気的多層コンポーネントは、複数の交互に積層配置したセラミック層及び電極層を備える。基体は、互いに対向する２つの端面及び互いに対向する２つの側面を有する。電気的多層コンポーネントは、複数個の外部電極及び少なくとも３個の内部電極を備える。各内部電極には、１個の外部電極に割り当てて接続する。基体における端面のうち少なくとも一方の端面から延在する１個の第１内部電極（７）、及び他方の端面から延在する少なくとも１個の第２内部電極は、互いに第１間隔をとって離間する。さらに、基体における側面のうち一方の側面から第３内部電極が延在し、この第３内部電極は、第１内部電極及び第２内部電極に対して第２間隔をとって離間する。
【０００７】
電気的多層コンポーネントにおける一実施形態において、内部電極の少なくとも２個を、少なくとも１つの同一電極層に配置する。
【０００８】
電気的多層コンポーネントにおける一実施形態において、第１及び第２内部電極は、少なくとも部分的にオーバーラップし、第３内部電極は、一実施形態において、第１及び第２内部電極と部分的にオーバーラップする。
【０００９】
多層コンポーネントにおける一実施形態において、第１内部電極の電極面は、第２内部電極の電極面より大きく形成する。別の一実施形態において、第１及び第２内部電極における電極面の大きさは等しいものとされている。
【００１０】
好適には、第１及び第２間隔における領域は、それぞれセラミック層を有する。
【００１１】
第１及び第２内部電極は、これら両内部電極間に配置した少なくとも１つのセラミック層における部分領域と共に、第１の電気的機能ユニットを構成する。
【００１２】
多層コンポーネントにおける一実施形態において、第３電極は、その境界領域で、第１及び／又は第２内部電極の１個、並びにこれら両内部電極間に配置した１つ又は複数のセラミック層における部分領域と共に、第２の電気的機能ユニットを構成する。
【００１３】
電気的多層コンポーネントにおける一実施形態において、基体から延在する第４内部電極は、第１及び／又は第２内部電極の少なくとも一方に対して離間しており、かつこれら両内部電極の間に配置したセラミック層における部分領域と共に、第３の電気的機能ユニットを画定する。
【００１４】
電気的多層コンポーネントの機能ユニットは、周縁（エッジ）効果を考慮することなく、互いに独立している。周縁効果とは、例えば、２個の並置した第３内部電極と第４内部電極との間に生ずる恐れがある電気的接続のことを指すものである。
【００１５】
一実施形態において、第３及び第４内部電極は同一電極層に配置する。この場合、これら両内部電極は、第１及び第２内部電極と同一層に配置するか、又は第１及び第２内部電極のいずれか一方の層に配置するか、又は他方の層に配置する。
【００１６】
第３及び第４内部電極は、好適には、互いに周縁効果を生ずることのないよう配置する。一実施形態において、第３及び第４内部電極は同一電極層に配置すると共に、互いに十分に離間させることにより、好適には、これら両電極間に周縁効果が生じないようにする。これにより、少なくとも距離的には、第３内部電極と第４内部電極との間に電気的機能ユニットが構成されることがなくなる。
【００１７】
一実施形態において、第１及び第２内部電極はそれぞれ１個の外部電極に接続し、これら外部電極は、基体において互いに対向する端面に配置する。
【００１８】
別の一実施形態において、電気的多層コンポーネントは、好適には、基体の長手方向軸線に沿って対称的に配置した内部電極を備える。
【００１９】
一実施形態において、多層コンポーネントの電気的機能ユニットは、コンデンサ又はバリスタ機能を有する。
【００２０】
別の一実施形態において、１個のコンデンサ及び１個のバリスタを、又は複数個のバリスタ及び複数個のコンデンサを、電気的多層コンポーネントに配置する。
【００２１】
別の一実施形態において、電気的多層コンポーネントは複数個のコンデンサを備え、この場合、端面に配置した第１及び第２内部電極により画定される第１の電気的機能ユニットにおける容量は、他の電気的機能ユニットにおける容量に比べて、１０００倍も異なるものとする。
【００２２】
電気的多層コンポーネントの一実施形態において、第１の電気的機能ユニットは、端面に接続した第１及び第２内部電極により画定し、好適には、１ｐＦより小さい容量とする。
【００２３】
一実施形態において、電気的多層コンポーネントは、容量を異ならせた複数個のコンデンサを備える。
【００２４】
別の一実施形態において、電気的多層コンポーネントは、バリスタ電圧を異ならせた複数個のバリスタを備えるが、容量を異ならせた複数個のコンデンサ及びバリスタ電圧を異ならせた複数個のバリスタを備えることもできる。
【００２５】
電気的多層コンポーネントの一実施形態において、セラミック層の１つはバリスタセラミック又はコンデンサセラミックとし、セラミック層を構成するこのバリスタセラミックは、好適には、酸化亜鉛、ビスマス・アンチモン又は酸化亜鉛・プラセオジムを含むものとする。
【００２６】
電気的多層コンポーネントの一実施形態において、基体が有する少なくとも１つの誘電体層は、低い誘電率を有する。一実施形態において、２つの誘電体層は、電気的多層コンポーネントをその厚さ方向の上下に画定する。
【００２７】
電気的多層コンポーネントにおける別の一実施形態において、少なくとも１つの誘電体層を、中間層として電気的多層コンポーネントにおける互いに独立した部分の間に配置する。誘電体層は、好適には、ガラス又はジルコニア、ガラス・ジルコニア複合材料、酸化アルミニウム又はガラス・酸化アルミニウム複合材料を含むものとする。
【００２８】
好適には、第１と第２内部電極との間における第１間隔領域、第３内部電極と第１又は第２内部電極との間における第２間隔領域、及び第４内部電極と第１又は第２内部電極との間における第３間隔領域には、セラミック層又はセラミック層の一部を配置する。
【００２９】
電気的多層コンポーネントの一実施形態において、接触は、ランド・グリッド・アレイ（ＬＧＡ）又はボール・グリッド・アレイ（ＢＧＡ）により行う。この場合の電気的多層コンポーネントにおける層構造は、好適には、接続接点として機能する層に対して直交するよう設ける。一実施形態において、第１及び第２内部電極を配置する電極層は、外部電極を介して多層コンポーネントの側面から接触可能とし、また第３及び第４内部電極は、基体の下面においてＬＧＡ又はＢＧＡとした接点を介して接触可能とする。別の一実施形態において、第１及び／又は第２内部電極の接触は、基体の下面に設けたＢＧＡ又はＬＧＡとした接点により行う。
【００３０】
上述の電気的多層コンポーネントを回路装置において作動させるために、一方の端面に配置した少なくとも１個の外部電極をグランドに、また他方の端面に配置した少なくとも１個の外部電極を電圧供給ラインに接続する。電気的多層コンポーネントの側面に配置した他の外部電極は、好適には、コンポーネントの外部において、例えば信号ラインに接続する。
【００３１】
本発明の多層コンポーネントは、その構造上の集積密度を大きくしつつ、機能ユニット、例えば容量を異ならせたコンデンサの配置を可能とするものである。例えば、このようなコンポーネントは、容量を１０００倍異ならせて構成することができる。すなわち、例えば０．１ｐＦ（ｐＦ＝ピコファラッド）〜１００ｐＦとすることが可能とされている。多層コンポーネントにおける第１の電気的機能ユニットは、好適には、コンデンサとして機能し、その容量は１ｐＦ以下とする。
【００３２】
以下、上述した物品及びその構成を、添付図面及び実施形態につき、さらに説明する。
【００３３】
なお、以下に説明する図面は、縮尺どおりに捉えるべきものでないことに留意されたい。また、同一素子又は同一機能を有する素子は、同一の参照符号で示す。
【図面の簡単な説明】
【００３４】
【図１】電気的多層コンポーネントの一実施形態における外部電極の配置を示す説明図である。
【図２】ａ），ｂ），ｃ）は、それぞれ３個の内部電極を備える電気的多層コンポーネントにおける一実施形態の異なる断面図である。
【図３】ａ），ｂ）は、それぞれ４個の内部電極を備える電気的多層コンポーネントにおける別の一実施形態の断面図である。
【図４】ａ），ｂ），ｃ）は、それぞれ３個の内部電極を備える電気的多層コンポーネントにおける別の一実施形態の異なる断面図である。
【図５】ａ），ｂ）は、それぞれ電気的多層コンポーネントにおける別の一実施形態の異なる断面図である。
【図６】ａ），ｂ）は、それぞれ４個の内部電極を備える電気的多層コンポーネントにおける別の一実施形態の断面図である。
【図７】ａ），ｂ），ｃ）は、それぞれ４個の内部電極を備える電気的多層コンポーネントにおける別の一実施形態の断面図である。
【図８】ａ），ｂ）は、それぞれ４個の内部電極を備える電気的多層コンポーネントにおける別の一実施形態の断面図である。
【図９】ａ），ｂ）は、それぞれ電気的多層コンポーネントにおける別の一実施形態の異なる断面図である。
【図１０】ａ），ｂ）は、それぞれ電気的多層コンポーネントにおける別の一実施形態の異なる断面図である。
【図１１】ａ），ｂ）は、それぞれ電気的多層コンポーネントの一実施形態における外部電極の配置を示す説明図である。
【図１２】電気的多層コンポーネントにおける別の一実施形態の異なる断面図である。
【図１３】電気的多層コンポーネントにおける別の一実施形態の内部電極構造を示す略図である。
【図１４】電気的多層コンポーネントにおける別の一実施形態の内部電極構造を示す略図である。
【図１５】ａ），ｂ），ｃ）は、それぞれ電気的多層コンポーネントにおける別の一実施形態の異なる断面図である。
【図１６】ａ），ｂ）は、それぞれ電気的多層コンポーネントにおける別の一実施形態の異なる断面図である。
【図１７】複数個の内部電極を備える電気的多層コンポーネントにおける別の一実施形態の内部電極構造を示す略図である。
【図１８】複数個の内部電極を備える電気的多層コンポーネントにおける別の一実施形態の内部電極構造を示す略図である。
【図１９】ａ），ｂ）は、それぞれ電気的多層コンポーネントにおける別の一実施形態の異なる断面図である。
【図２０】ａ），ｂ）は、それぞれ電気的多層コンポーネントにおける別の一実施形態の異なる断面図である。
【図２１】ａ），ｂ）は、それぞれ電気的多層コンポーネントにおける別の一実施形態の異なる断面図である。
【図２２】ａ），ｂ）は、それぞれ電気的多層コンポーネントにおける別の一実施形態の異なる断面図である。
【図２３】それぞれ１個の誘電体層により厚さ方向を区切った電気的多層コンポーネントの断面図である。
【図２４】複数個の誘電体層を備える電気的多層コンポーネントにおける一実施形態の断面図である。
【図２５】電気的多層コンポーネントの一実施形態としての、複数の電気的機能ユニットを有する回路装置を示す説明図である。
【図２６】端面に複数個の外部電極を配置した電気的多層コンポーネントの接続面における外部電極の配置を示す説明図である
【図２７】ａ），ｂ）は、それぞれ電気的多層コンポーネントにおける別の一実施形態の異なる断面図である。
【図２８】ａ），ｂ）は、それぞれ電気的多層コンポーネントにおける別の一実施形態の異なる断面図である。
【発明を実施するための形態】
【００３５】
図１は、互いに積層配置したセラミック層及び１個の電極層で構成した電気的多層コンポーネントの基体１における外部電極６，６′の配置を概略的に示す。図示の実施形態における電気的多層コンポーネントは、４個の外部電極６，６′を備え、外部電極６を基体１の端面４，４′にそれぞれ配置する。基体１において互いに対向する側面５，５′には、外部電極６′をそれぞれ配置する。図２〜図１１に示す電気的多層コンポーネントの各実施形態における外部電極の配置は、好適には、図１に示す実施形態における配置と同様とする。個々の外部電極は、内部電極配置の実施形態によっては、接触できない、隠れ接点として存在することができる。
【００３６】
図２ａは、順次に積層配置したセラミック層及び１個の電極層により構成し、基体１を構成する電気的多層コンポーネントにおける、内部電極を配置した構造を概略的に示す。電極層は、第１内部電極７及び第２内部電極８を有し、この場合、両内部電極７，８は、側方に第１間隔ａをとって互いに離間する。この電気的多層コンポーネントには第３内部電極９を設け、この第３内部電極９は第２間隔ｂをとって側方に第２内部電極から離間する。第１内部電極７、第２内部電極８及び第３内部電極９は、電気的多層コンポーネントの一層に配置する。
【００３７】
図２ｂは、Ａ−Ａ′線に沿って切断した電極層の断面図を示す。電気的多層コンポーネントは、基体１、複数のセラミック層２（図示せず）及び各内部電極を配置した層３を備える。
【００３８】
図２ｃは、Ｂ−Ｂ′線に沿って切断した電気的多層コンポーネントの断面図を示す。第２内部電極８及び第３内部電極９は、電気的多層コンポーネントにおける同一の電極層３に配置し、第２間隔ｂをとって互いに離間させる。
【００３９】
図３ａは、順次に積層配置したセラミック層及び１個の電極層で構成した電気的多層コンポーネントにおける別の一実施形態の、内部電極を配置した構造を概略的に示す。第１及び第２内部電極７，８は、電気的多層コンポーネントにおける基体１の同一層で第１間隔ａをとって互いに離間させる。電気的多層コンポーネントに第３電極９を設け、この第３電極９は、第２間隔ｂをとって第２電極８に対して離間させる。さらに、電気的多層コンポーネントに第４内部電極１０を設け、この第４内部電極１０は、第３間隔ｃをとって第２内部電極８に対して離間させる。電気的多層コンポーネントにおける各内部電極７〜１０は、同一層に配置する。第１間隔ａの領域において、第１内部電極７は、第２内部電極８及び第１間隔ａの領域に配置したセラミック層の部分領域と共に、第１の電気的機能ユニット１１を構成する。第２間隔ｂをとって互いに離間する第３内部電極９と第２内部電極８との間における領域において、第２及び第３内部電極８，９は、セラミック層の部分領域と共に第２の電気的機能ユニット１２を構成する。第２内部電極８と第４内部電極１０との間における領域において、これら内部電極は、第３間隔ｃをとって配置したセラミック層の部分領域と共に、第３の電気的機能ユニット１３を構成する。
【００４０】
図３ｂは、Ｂ−Ｂ′線に沿ってコンポーネントを切断した断面図を示す。電気的多層コンポーネントの断面において示す第２内部電極８は、第３内部電極９及び第４内部電極１０と共に、基体１の同一層に配置する。
【００４１】
図４ａは、電気的多層コンポーネントにおける別の一実施形態の、内部電極を配置した構造を概略的に示す。第１内部電極７及び第２内部電極８は、図示の実施形態において、基体１の異なる層に配置し、互いに部分的にオーバーラップする。電気的多層コンポーネントには２個の第３内部電極９を設け、これら第３内部電極９は、多層コンポーネントの異なる層に配置し、図４ｃに示すように、互いに完全にオーバーラップする。２個の第３内部電極９は、第２間隔ｂをとって第１及び第２の内部電極７，８から離間させる。また、電気的多層コンポーネントには２個の第４内部電極１０を設け、これら第４内部電極１０は、第３内部電極９と同様、電気的多層コンポーネントの異なる層に配置し、互いに完全にオーバーラップする。各第４内部電極１０は、第３間隔ｃをとって第１内部電極７又は第２内部電極８から離間させる。
【００４２】
図４ｂは、Ａ−Ａ′線に沿って切断したコンポーネントの断面図を示す。基体１の異なる層に配置する第１及び第２内部電極７，８の間には、垂直方向の第１間隔ａを設ける。
【００４３】
図４ｃは、Ｂ−Ｂ′線に沿って切断したコンポーネントの断面図を示す。電気的多層コンポーネントは、図示の実施形態において２個の電極層を備え、各電極層は、第１又は第２電極７，８と共に、第３及び第４内部電極９，１０を有する。第３内部電極９は、間隔ｂをとって側方に第１及び第２内部電極８から離間させ、第４内部電極１０は、間隔ｃをとって側方に第１内部電極７又は第２内部電極８から離間させる。
【００４４】
図５ａは、電気的多層コンポーネントにおける別の一実施形態の、内部電極を配置した構造を概略的に示す。図示の実施形態における電気的多層コンポーネントは、図４ａに示す実施形態とは異なり、第４内部電極１０を持たず、第３内部電極９のみを備える。第１及び第２の内部電極７，８は、基体１の異なる層に配置し、少なくとも互いに部分的にオーバーラップする。
【００４５】
図５ｂは、切断線Ｂ−Ｂ′線に沿って切断したコンポーネントの断面図を示す。図示の実施形態において多層コンポーネントには第３内部電極９を設け、この第３内部電極９は、基体１における第２内部電極８と共通の電極層に配置する。第２内部電極８に対して離間する電極層に配置した第１内部電極７は、第２内部電極８と少なくとも部分的にオーバーラップする。
【００４６】
図６ａは、電気的多層コンポーネントにおける別の一実施形態の、内部電極を配置した構造を概略的に示す。図示の実施形態における多層コンポーネントは、第１及び第２の内部電極７，８を有する基体１を備え、この場合、第１及び第２の内部電極７，８は、互いに少なくとも部分的にオーバーラップする。さらに、電気的多層コンポーネントには第３内部電極９及び第４内部電極１０を設け、これら第３内部電極９及び第４内部電極１０は、第２内部電極８と同一の電極層に配置する。
【００４７】
図６ｂは、Ｂ−Ｂ′線に沿って切断したコンポーネントの断面図を示す。第２内部電極８は、第３内部電極９と第４内部電極１０との間に配置し、これら両内部電極９，１０から側方に離間する。第２内部電極８は、第１内部電極７とオーバーラップし、かつ垂直方向に離間する。
【００４８】
図７ａは、電気的多層コンポーネントにおける別の一実施形態の、内部電極構造を概略的に示す。図示の実施形態における電気的多層コンポーネントの基体１は、２個の第１内部電極７，７′及び２個の第２内部電極８，８′を有する。第１内部電極７，７′の一方は、第２内部電極８，８′の一方と同一層に配置し、第２内部電極８，８′の他方とオーバーラップする。図示の実施形態における電気的多層コンポーネントには２個の第３内部電極９、及び２個の第４内部電極１０，を設け、これら第３及び第４の内部電極９，１０は、電気的多層コンポーネントの第１及び第２内部電極７，７′，８，８′に対して離間する。
【００４９】
図７ｂは、Ａ−Ａ′線に沿って切断したコンポーネントの断面図を示す。第１内部電極７，７′は、同一層に配置した第２内部電極８，８′と共に、多層コンポーネントの電気的機能ユニットを構成する。互いにオーバーラップする第２内部電極８，８′の間隔は、第２内部電極８，８′により必要に応じて構成する付加的な電気的機能ユニットの間隔より拡大することもできる。
【００５０】
図７ｃは、切断線Ｂ−Ｂ′線に沿って切断したコンポーネントの断面図を示す。２個の第２内部電極８，８′は互いにオーバーラップすると共に、いずれも基体１における第３及び第４の内部電極９，１０と同一層に配置し、第３及び第４内部電極９，１０から側方に離間している。
【００５１】
図８ａは、電気的多層コンポーネントにおける別の一実施形態の、内部電極を配置した構造を概略的に示す。第１及び第２の内部電極７，８は基体１における同一電極層に配置し、互いに側方に離間する。多層コンポーネントには第３内部電極９を設け、この第３内部電極９は、基体１における１つの側面から延在し、第２内部電極８とオーバーラップする。第２内部電極８及び第３内部電極９は、電気的多層コンポーネントにおける異なる電極層に配置する。
【００５２】
図８ｂは、Ａ−Ａ′線に沿って切断したコンポーネントの断面図を示す。
【００５３】
図９ａは、電気的多層コンポーネントにおける別の一実施形態の、内部電極を配置した構造を概略的に示す。図８ａに示す実施形態と異なり、図示の実施形態における電気的多層コンポーネントは、付加的な第４内部電極１０を備え、第２内部電極８及び第３内部電極９とオーバーラップする。第３内部電極９及び第４内部電極１０は、電気的多層コンポーネントにおいて互いに対向する側面から延在し、異なる電極層に配置する。
【００５４】
図９ｂは、Ａ−Ａ′線に沿って切断したコンポーネントの断面図を示す。第１及び第２の内部電極７，８は、基体１における同一電極層に配置する。第１及び第２内部電極７，８は、図示の実施形態において、電気的多層コンポーネントにおける垂直方向である厚さ方向に第３及び第４の内部電極９，１０間に配置する。
【００５５】
図１０ａは、電気的多層コンポーネントにおける別の一実施形態の、内部電極を配置した構造を概略的に示す。この場合、電気的多層コンポーネントに内部電極７，８の構造を設け、この構造は、図７に示す電気的多層コンポーネントの実施形態における内部電極の構造に類似するものである。図１０ａに示す実施形態における電気的多層コンポーネントは、それぞれ２個の第１及び第２の内部電極７，７′，８，８′を備え、２個の第１内部電極７，７′の一方、及び第２内部電極８，８′の一方は、基体１の同一電極層に配置する。図１０ｂは、Ａ−Ａ′線に沿って切断したコンポーネントの断面図を示す。第１内部電極７，７′の一方は、第２内部電極８，８′の一方と共に基体１の同一層に配置し、基体１の異なる電極層における第１内部電極層７，７′の他方と共に配置した第２内部電極８，８′の他方と少なくとも部分的にオーバーラップする。また、第２内部電極８，８′は、互いに少なくとも部分的にオーバーラップする。さらに、各第２内部電極８，８′は、電気的多層コンポーネントにおける第３及び第４の内部電極９，１０とオーバーラップする。これら第３及び第４内部電極９，１０は、図示の実施形態において、基体１の異なる層に配置し、かつ２個の内部電極８，８′層間に配置する。
【００５６】
図１１ａは、電気的多層コンポーネントにおける別の一実施形態の、内部電極を配置した構造を概略的に示す。図示の実施形態における電気的多層コンポーネントの構造は、図１０ａに示す実施形態の構造と類似するものであるが、第３及び第４の内部電極９，１０を基体１の同一層に配置する点で異なる。
【００５７】
図１１ｂは、Ａ−Ａ′線に沿って切断したコンポーネントの断面図を示す。第１内部電極７，７′の一方は、第２内部電極８，８′の一方と共に基体１の同一電極層に配置し、第１内部電極７，７′の他方は、第２内部電極８，８の他方と共に基体１における別の電極層に配置することにより、各第１内部電極７，７′は、異なる電極層に配置した第２内部電極８，８′とオーバーラップする。第１内部電極７，７′と第２内部電極８，８′との間に配置する第３及び第４の内部電極９，１０は、それぞれ少なくとも部分的に第２内部電極８，８′とオーバーラップし、かつ互いに離間した状態で同一電極層に配置する。
【００５８】
図１２は、電気的多層コンポーネントの基体１に対する外部電極の配置を概略的に示す。電気的多層コンポーネントは６個の外部電極６，６′を備え、このうち２個の外部電極６は、基体１の端面４，４′に配置する。さらに、基体１において互いに対向する側面５，５′には、それぞれ２個の外部電極６′を配置する。図１３〜図２４に示す電気的多層コンポーネントにおける実施形態において、好適には、外部電極の配置は図示の実施形態と同様に行う。個々の外部電極は、内部電極を配置した実施形態によっては、接触できない、隠れ接点として存在することができる。
【００５９】
図１３は、電気的多層コンポーネントにおける別の一実施形態の、内部電極を配置した構造を概略的に示す。電気的多層コンポーネントには第１及び第２の内部電極７，８を設け、これら内部電極７，８は、基体１の同一電極層に配置し、互いに側方に離間する。第１及び第２の内部電極７，８と同一電極層に配置する２個の第３内部電極９，９′は、基体１における１つの側面から延在し、第２内部電極８から側方に離間している。Ａ‐Ａ′線に沿って切断した電極層の断面を示す平面図は図２ｂに、またＢ‐Ｂ′線に沿う断面を示す平面図は図２ｃにそれぞれ対応する。
【００６０】
図１４は、電気的多層コンポーネントにおける別の一実施形態の、内部電極を配置した構造を概略的に示す。この場合、電気的多層コンポーネントに２個の第４内部電極１０，１０′を設け、これら第４内部電極１０，１０′は、第１及び第２の内部電極７，８、並びに第３内部電極９，９′と同一電極層に配置する。第４内部電極１０，１０′は、第２内部電極８から離間する。Ａ‐Ａ′線に沿って切断したコンポーネントの断面図は図２ｂに、またＢ‐Ｂ′線に沿う断面図は図３ｂにそれぞれ対応する。
【００６１】
図１５ａは、電気的多層コンポーネントにおける別の一実施形態の、内部電極を配置した構造を概略的に示す。電気的多層コンポーネントは、２個の第１内部電極７，７′及び２個の第２内部電極８，８′を有する基体１を備える。基体１の互いに対向する側面からそれぞれ４個の第３内部電極９，９′及び第４内部電極１０，１０′を延在させる。第１〜第４内部電極７，８′，９，１０の各１個は、同一層に配置する。
【００６２】
図１５ｂは、Ａ−Ａ′線に沿って切断したコンポーネントの断面図を示す。電気的多層コンポーネントには２個の第１内部電極７，７′を設け、これら第１内部電極７，７′は、それぞれ異なる電極層に第２内部電極８，８′と共通に配置する。各第１内部電極７，７′は、それぞれ基体１の異なる電極層に配置した第２内部電極８，８′とオーバーラップする。第１内部電極７，７′は、同一層に配置した第２内部電極８，８′と共に、多層コンポーネントの電気的機能ユニットを構成する。互いにオーバーラップする第２内部電極８，８′の間隔は、第２内部電極８，８′により必要に応じて構成する付加的な電気的機能ユニットの間隔より拡大することができる。
【００６３】
図１５ｃは、Ｂ−Ｂ′線に沿ってコンポーネントを切断した断面図を示す。
【００６４】
図１６ａは、電気的多層コンポーネントにおける別の一実施形態の、内部電極を配置した構造を概略的に示す。第１及び第２内部電極７，８は基体１の異なる層に配置し、互いに少なくとも部分的にオーバーラップする。電気的多層コンポーネントに２個の第３内部電極９，９′を設け、これら第３内部電極９，９′は、基体１における１つの側面から延在させ、第２内部電極８，８′と同一電極層に配置する。２個の第３内部電極９，９′は互いに対してだけでなく、第２内部電極８に対しても側方に離間している。
【００６５】
図１６ｂは、Ａ−Ａ′線に沿って切断したコンポーネントの断面図を示すものであり、図４ｂに対応する。
【００６６】
図１７は、電気的多層コンポーネントにおける別の一実施形態の、内部電極を配置した構造を概略的に示す。この場合の内部電極を配置する構造は、図１６ａに示す電気的多層コンポーネントの実施形態に類似するが、図示の実施形態における電気的多層コンポーネントは２個の第４内部電極１０，１０′を付加的に備え、これら内部電極１０，１０′が起点とする基体１の側面は、第３内部電極９，９′に対向する側面である。第４内部電極１０，１０′は、第２内部電極８及び第３内部電極９，９′と同一電極層に配置する。さらに、２個の第４内部電極１０，１０′は、互いに対してだけでなく、第２内部電極に対しても離間する。Ａ−Ａ′線に沿って切断したコンポーネントの断面図は図４ｂに、またＢ−Ｂ′線に沿う断面図は図６ｂにそれぞれ対応する。
【００６７】
図１８は、電気的多層コンポーネントにおける別の一実施形態の、内部電極を配置した構造を概略的に示す。電気的多層コンポーネントの基体１が有する第１及び第２内部電極７，８は、基体１の異なる電極層に配置し、かつ互いに少なくとも部分的にオーバーラップする。さらに、電気的多層コンポーネントの基体１は、互いに離間する２個の第３内部電極９，９′及び２個の第４内部電極１０，１０′を有する。Ａ−Ａ′線に沿って切断したコンポーネントの断面図は図４ｂに、またＢ−Ｂ′線に沿う断面図は図４ｃにそれぞれ対応する。
【００６８】
図１９ａは、電気的多層コンポーネントにおける別の一実施形態の、内部電極を配置した構造を概略的に示す。電気的多層コンポーネントの基体１が有する第１及び第２内部電極７，８は、基体１における同一電極層に互いに離間した状態で配置する。さらに、電気的多層コンポーネントに２個の第３内部電極９，９′を設け、これら第３内部電極９，９′は、基体１の異なる電極層に配置する。第３内部電極９，９′は、互いに離間すると共に、第２内部電極８と少なくとも部分的にオーバーラップする。
【００６９】
図１９ｂは、Ａ−Ａ′線に沿って切断したコンポーネントの断面図を示す。
【００７０】
図２０ａは、電気的多層コンポーネントにおける別の一実施形態の、内部電極を配置した構造を概略的に示す。この場合の電気的多層コンポーネントの構造は、図１９ａに示す実施形態に類似するものであるが、図示の実施形態における電気的多層コンポーネントは、付加的に２個の第４内部電極１０，１０′を備え、これら内部電極１０，１０′は基体１における異なる電極層に配置し、かつ第２内部電極８と少なくとも部分的にオーバーラップする。
【００７１】
図２０ｂは、Ａ−Ａ′線に沿って切断したコンポーネントの断面図を示す。図１９ｂに示す実施形態とは異なり、図示の実施形態においては、基体１における付加的な層に２個の第４内部電極１０，１０′を配置し、これら内部電極は互いに離間し、かつ第２内部電極８と少なくとも部分的にオーバーラップする。第２内部電極８を配置する基体１の層は、第３内部電極９，９′と第４内部電極１０，１０′を配置する層間に設ける。
【００７２】
図２１ａは、電気的多層コンポーネントにおける別の一実施形態の、内部電極を配置した構造を概略的に示す。図示の実施形態における電気的多層コンポーネントの内部電極の配置構造は、図１８ａに示す実施形態の多層コンポーネントと類似する構造を有する。図示の実施形態における電気的多層コンポーネントは、それぞれ２個の第１内部電極７，７′及び２個の第２内部電極８，８′を備え、この場合、第１内部電極７，７′の一方、及び第２内部電極８，８′の一方は、同一電極層に配置する。
【００７３】
図２１ｂは、Ａ−Ａ′線に沿って切断したコンポーネントの断面図を示す。電気的多層コンポーネントの基体１が有する２個の第１内部電極７，７′は、基体１において対向する両側の側面から延在し、かつ第２内部電極８，８′と同一電極層に離間した状態で配置する。それぞれの第１内部電極７，７′は、基体１においてそれぞれ異なる層に配置した第２内部電極８，８′と少なくとも部分的にオーバーラップする。第１内部電極７，７′と第２内部電極８，８′との間には２つの層を配置する。これら各層は、互いに離間する２個の内部電極を有し、これら内部電極は少なくとも部分的に第２内部電極８，８′とオーバーラップする。これら層の一方には、互いに離間する２個の第３内部電極９，９′を、また他方の層には、互いに離間する２個の内部電極１０，１０′を配置する。
【００７４】
図２２ａは、電気的多層コンポーネントにおける別の一実施形態の、内部電極を配置した構造を概略的に示す。この場合、断面を示す平面図における内部電極の配置構造は、図１９ａに示す実施形態における内部電極の配置構造に類似するものであるが、図２１ａに示す実施形態とは異なり、第３内部電極９，９′及び第４内部電極１０，１０′は、図２２ｂに示すように、基体１の同一層に配置する。
【００７５】
図２３は、電気的多層コンポーネントの断面図を示すものであり、この場合の内部電極の配置構造は、図１９ｂに示す実施形態の内部電極構造に類似する。図示の電気的多層コンポーネントは、その厚さ方向において２個の誘電体層１８，１８′により封入する。
【００７６】
図２４は、電気的多層コンポーネントの横断面図を示すものであり、この場合の内部電極の配置構造は、図２１ｂに示す電気的多層コンポーネントにおける実施形態における内部電極の配置構造に類似する。第３内部電極９，９′を配置する層と第４内部電極１０，１０′を配置する層との間には、誘電体層１８″を配置する。電気的多層コンポーネントの基体１は、その厚さ方向において誘電体層１８，１８′により封入する。
【００７７】
図２５は、電気的多層コンポーネントにおける回路装置を概略的に示すものであり、この回路装置は、図示の実施形態において５個の電気的機能ユニットを備える。この場合、電気的機能ユニットは、バリスタ１４として形成するが、コンデンサとして形成してもよい。さらに、多層コンポーネントにコンデンサ及びバリスタを備えることもできる。図示の実施形態における電気的多層コンポーネントは６個の外部電極６，６′を備え、このうち２個の外部電極６を電気的多層コンポーネントの端面に、またそれぞれ２個の外部電極６′を両側面に配置する。電気的多層コンポーネントにおける端面の一方に配置した外部電極６は、グランドＧＮＤに接続し、端面の他方に配置した外部電極６は、電圧供給ライン１５に接続する。さらに、多層コンポーネントの側面に配置した外部電極６′は、好適には、信号ラインに接続する。側面に配置する外部電極６′の順番は、任意に選択することができる。
【００７８】
図２６は、電気的多層コンポーネントの一実施形態における外部電極６，６′の配置を示す。電気的多層コンポーネントの基体１は、その両側の端面４，４′に配置したそれぞれ２個の外部電極６を有する。端面４，４′に配置したそれぞれの外部電極６は、電気的多層コンポーネントの第１又は第２内部電極に接続し、基体１の側面５，５′に配置したそれぞれの外部電極６′は、第３又は第４内部電極に接続する。電気的多層コンポーネントの構造は、好適には、対称的とする。
【００７９】
図２７ａは、電気的多層コンポーネントの一実施形態における外部電極の配置を基体１の下面から見た底面図で示す。この場合、基体１は、その両側の端面４，４′にそれぞれ３個の外部電極６，６′を有する。基体１の下面は、それぞれ４個の外部電極を配置した３つの列を有し、これら３列における各外部電極は、図示の実施形態において矩形状の接点面１９，１９′として形成する。これら接点面１９，１９′は、基体１の底面においてランド・グリッド・アレイ（ＬＧＡ）を構成する。
【００８０】
図２７ｂは、Ａ−Ａ′線に沿って切断したコンポーネントの断面図を示す。この電気的多層コンポーネントを切断した断面図が示す第１及び第２内部電極７，８は、基体１において互いに対向する端面から延在する。第１及び第２の内部電極７，８′は同一層に配置し、側面において互いに離間する。第１及び第２内部電極のそれぞれに対して、基体１の下面から４個の第３内部電極９が延在する。第３内部電極９、並びに第１及び第２の内部電極７，８は、同一電極層に配置し、それぞれ互いに離間している。コンポーネントにおける各電極層は、基体１に対して直交して配置され、Ａ‐Ａ′線に沿って延在する。
【００８１】
図２８ａは、電気的多層コンポーネントの基体１における外部電極の配置を下面から見た底面図で示す。電気的多層コンポーネントの外部電極は、図示の実施形態において、ボール・グリッド・アレイ（ＢＧＡ）を構成する。個々の球状又は楕円状の接点面１９，１９′は、３つの列にそれぞれ６個を配置する。
【００８２】
図２８ｂは、Ａ−Ａ′線に沿ってコンポーネントを切断した断面図を示す。基体１は、Ｌ字に形成した第１及び第２の内部電極２１，２２を有し、これら内部電極２１，２２は、互いに側方に離間する。第１及び第２の内部電極２１，２２に対する接触は、基体１の下面から行う。図示の実施形態においては、基体１の下面から互いに離間する４個の第３内部電極９が延在する。第１及び第２の内部電極２１，２２は、第３内部電極９と共に電気的多層コンポーネントにおける同一電極層に配置する。基体１の各電極層は、多層コンポーネントにおける下面に対して直交して配置し、Ａ−Ａ′線に沿って延在する。内部電極９は、第１及び第２の内部電極２１，２２′から側方に離間する。各外部電極は、球状の接点面１９，１９′として形成し、その上に半田ボール２０，２０′を設ける。図示の実施形態において、第１及び第２の内部電極７，８′における接点面１９の直径は、第３内部電極９における接点面１９′の直径より小さい。
【００８３】
上記においては、本発明における実施形態の一部しか説明しなかったが、本発明はこれらに限定されるものではない。原則的には、電気的多層コンポーネントに、バリスタ又はコンデンサとして形成する多数の電気的機能ユニットを備えることが可能である。これら機能ユニット、内部電極及び外部電極の各配置は、好適には、対称的に行う。電気的機能ユニットの個数は、多層コンポーネントの大きさのみに依存するものである。
【符号の説明】
【００８４】
１    基体
２    セラミック層
３    電極層
４，４′    端面
５，５′    側面
６，６′    外部電極
７，７′    第１内部電極（端面から延在する）
８，８′    第２内部電極（端面から延在する）
９，９′    第３内部電極（側面から延在する）
１０，１０′第４内部電極（側面から延在する）
１１    第１の電気的機能ユニット
１２    第２の電気的機能ユニット
１３    第３の電気的機能ユニット
１４    バリスタ
１５    電圧供給ライン
ＧＮＤ    グランド接続
ａ    第１間隔
ｂ    第２間隔
ｃ    第３間隔
１８    誘電体層
１９，１９′接点面
２０，２０′半田ボール
２１    第１内部電極
２２    第２内部電極
Ａ−Ａ′    切断線
Ｂ−Ｂ′    切断線
【図１】
2013507757.tif 000003
【図２ａ）】
2013507757.tif 000004
【図２ｂ）】
2013507757.tif 000005
【図２ｃ）】
2013507757.tif 000006
【図３ａ）】
2013507757.tif 000007
【図３ｂ）】
2013507757.tif 000008
【図４ａ）】
2013507757.tif 000009
【図４ｂ）】
2013507757.tif 000010
【図４ｃ）】
2013507757.tif 000011
【図５ａ）】
2013507757.tif 000012
【図５ｂ）】
2013507757.tif 000013
【図６ａ）】
2013507757.tif 000014
【図６ｂ）】
2013507757.tif 000015
【図７ａ）】
2013507757.tif 000016
【図７ｂ）】
2013507757.tif 000017
【図７ｃ）】
2013507757.tif 000018
【図８ａ）】
2013507757.tif 000019
【図８ｂ）】
2013507757.tif 000020
【図９ａ）】
2013507757.tif 000021
【図９ｂ）】
2013507757.tif 000022
【図１０ａ）】
2013507757.tif 000023
【図１０ｂ）】
2013507757.tif 000024
【図１１ａ）】
2013507757.tif 000025
【図１１ｂ）】
2013507757.tif 000026
【図１２】
2013507757.tif 000027
【図１３】
2013507757.tif 000028
【図１４】
2013507757.tif 000029
【図１５ａ）】
2013507757.tif 000030
【図１５ｂ）】
2013507757.tif 000031
【図１５ｃ）】
2013507757.tif 000032
【図１６ａ）】
2013507757.tif 000033
【図１６ｂ）】
2013507757.tif 000034
【図１７】
2013507757.tif 000035
【図１８】
2013507757.tif 000036
【図１９ａ）】
2013507757.tif 000037
【図１９ｂ）】
2013507757.tif 000038
【図２０ａ）】
2013507757.tif 000039
【図２０ｂ）】
2013507757.tif 000040
【図２１ａ）】
2013507757.tif 000041
【図２１ｂ）】
2013507757.tif 000042
【図２２ａ）】
2013507757.tif 000043
【図２２ｂ）】
2013507757.tif 000044
【図２３】
2013507757.tif 000045
【図２４】
2013507757.tif 000046
【図２５】
2013507757.tif 000047
【図２６】
2013507757.tif 000048
【図２７ａ】
2013507757.tif 000049
【図２７ｂ】
2013507757.tif 000050
【図２８ａ】
2013507757.tif 000051
【図２８ｂ】
2013507757.tif 000052
【国際調査報告】
2013507757.tif 000053
2013507757.tif 000054
2013507757.tif 000055
2013507757.tif 000056